(57)【要約】【課題】マイナスイオン発生装置を備えたヘアードライヤーにおいて、吹出グリルにマイナス電荷が帯電するのを解消して、マイナスイオンを効果的に放出供給できるヘアードライヤーを提供する。【解決手段】本体ケース１のグリップ３に、アース片４５をグリップ表面に露出する状態で配置する。吹出グリル６とアース片４５とを導電路４６を介して導通し、吹出グリル６に帯電しようとするマイナス電荷を人体を介してグランドアースする。導電路４６は、ヒーターユニットの外面を覆うヒーターカバー１６と、ヒーターカバー１６とアース片４５とを接続する導電リード６５とで構成する。【選択図】        図１
2004344354.tif 000002
【特許請求の範囲】
【請求項１】
モーター９、ファン１０およびイオン発生装置などが収容される本体ケース１と、本体ケース１を支え保持するグリップ３とを備えており、
イオン発生装置で生成したイオンが、ファン１０で生起した空気流とともに、本体ケース１の吹出口に設けた吹出グリル６を介して、本体ケース１の外へ吹き出し供給されるヘアードライヤーであって、
グリップ３に、導電性を有するアース片４５がグリップ表面に露出する状態で配置されており、
吹出グリル６とアース片４５とが、本体ケース１およびグリップ３に設けた導電路４６を介して導通していることを特徴とするヘアードライヤー。
【請求項２】
筒状の本体ケース１の内部に、ヒーターユニットと、ヒーターユニットの外面を覆うため、導電性素材で形成した筒状のヒーターカバー１６とが配置されており、
導電路４６が、吹出グリルに対して電気的に接続されるヒーターカバー１６と、ヒーターカバー１６とアース片４５とを接続する導電リード６５とで構成されている請求項１記載のヘアードライヤー。
【請求項３】
吹出グリル６の内面にイオン発生装置の電極ユニット２１を支持する電極ホルダー３４が配置されて、本体ケース１に対して相対回転不能に組み付けられており、
ヒーターカバー１６の前端に、吹出グリル６と接触し導通する導通端子６６が突設されており、
導通端子６６が電極ホルダー３４に設けた係合部７１と係合して、ヒーターカバー１６を電極ホルダー３４で回り止め固定している請求項２記載のヘアードライヤー。
【請求項４】
アース片４５が、グリップ３の内面側からアース片４５にねじ込んだビス６９でグリップ３に締結固定されており、
導電リード６５が、前記ビス６９を利用してアース片４５と導通している請求項２または３記載のヘアードライヤー。
【請求項５】
アース片４５を支持する装飾カバー５１が、グリップ３に対して分離可能に係合装着されており、
アース片４５と装飾カバー５１とが、装飾カバー５１の内面側からアース片４５にねじ込んだビス６９を介して分離不能に締結固定されている請求項２、３または４記載のヘアードライヤー。
【請求項６】
グリップ３が、蓋合わせ状に接合される左右のグリップケース３ａ・３ｂをビス４９で締結固定して構成されており、
装飾カバー５１が、左右のグリップケース３ａ・３ｂの接合面を跨ぐ状態でグリップ３に係合装着されており、
装飾カバー５１が、左右のグリップケース３ａ・３ｂの開き規制体を兼ねている請求項５記載のヘアードライヤー。
【請求項７】
装飾カバー５１が、グリップ３の左右側面を覆う一対の側壁５２と、両側壁５２どうしを繋ぐ後壁５３とを含んで立体状に構成されており、
装飾カバー５１の両側壁５２と後壁５３とに、それぞれ左右のグリップケース３ａ・３ｂと係合する係合爪５５が設けられており、
装飾カバー５１が、両グリップケース３ａ・３ｂを左右両側と後ろ側の三方向から抱持して、開き規制している請求項６記載のヘアードライヤー。
【発明の詳細な説明】
【０００１】
【発明の属する技術分野】
本発明は、イオン発生装置を備えたヘアードライヤーに関する。
【０００２】
【従来の技術】
ヘアードライヤーにおいて、イオン吹出口を構成するケース体に、イオン発生装置の周囲電極（負極）を抵抗体を介して接続し、以てイオン吹出口にマイナスイオンが帯電するのを解消することは公知である（特許文献１参照）。
【０００３】
【特許文献１】
特開２００２−２１９３５５号公報（段落番号００３４、図１）
【０００４】
【発明が解決しようとする課題】
特許文献１のヘアードライヤーによれば、イオン発生装置の周囲電極（負極）を利用してアースを行うので、手持ち使用されるヘアードライヤーやヘアーブラシであっても、イオン吹出口の周辺をアースでき、そこにマイナスイオンが帯電するのを抑止できる。しかし、周囲電極とケース体との間に設けられる抵抗体の抵抗値が小さいと、中央電極から放出されるマイナスイオンがケース体に引き寄せられてしまうので、ヘアードライヤーからのマイナスイオンの放出量が減少する。抵抗体の抵抗値を大きくすることで、マイナスイオンがケース体に引き寄せられるのを防止できるが、抵抗値が大きい分だけ、ケース体に帯電したマイナス電荷の除去速度が遅くなり、その結果マイナス電荷が帯電しやすい。
【０００５】
本発明の目的は、吹出グリルをグリップに設けたアース片を介して人体にアースすることにより、ヘアードライヤーの吹出口付近へのマイナスイオンの帯電を確実に防止し、以てマイナスイオンを効果的に放出供給できるヘアードライヤーを提供することにある。本発明の目的は、吹出グリルとアース片を導通するための導電路を導電リードと、ヘアードライヤーの構成部品とを利用して構成することにより、ヘアードライヤーの組立の手間を軽減し、導電路の信頼性を向上できるヘアードライヤーを提供することにある。
【０００６】
【課題を解決するための手段】
本発明のヘアードライヤーでは、モーター９、ファン１０およびイオン発生装置などが収容される本体ケース１と、本体ケース１を支え保持するグリップ３とを備えており、イオン発生装置で生成したイオンを、ファン１０で生起した空気流とともに、本体ケース１の吹出口に設けた吹出グリル６を介して、本体ケース１の外へ吹き出し供給する。グリップ３には、導電性を有するアース片４５をグリップ表面に露出する状態で配置する。吹出グリル６とアース片４５とは、本体ケース１およびグリップ３に設けた導電路４６を介して導通する（請求項１）。
【０００７】
筒状の本体ケース１の内部には、ヒーターユニットと、ヒーターユニットの外面を覆うため、導電性素材で形成した筒状のヒーターカバー１６とを配置する。導電路４６は、吹出グリルに対して電気的に接続されるヒーターカバー１６と、ヒーターカバー１６とアース片４５とを接続する導電リード６５とで構成する（請求項２）。
【０００８】
吹出グリル６の内面には、イオン発生装置の電極ユニット２１を支持する電極ホルダー３４を配置し、本体ケース１に対して相対回転不能に組み付ける。ヒーターカバー１６の前端には、吹出グリル６と接触し導通する導通端子６６を突設する。導通端子６６は電極ホルダー３４に設けた係合部７１と係合して、ヒーターカバー１６を電極ホルダー３４で回り止め固定する（請求項３）。
【０００９】
アース片４５は、グリップ３の内面側からアース片４５にねじ込んだビス６９でグリップ３に締結固定する。導電リード６５は、前記ビス６９を利用してアース片４５と導通する（請求項４）。
【００１０】
アース片４５を支持する装飾カバー５１は、グリップ３に対して分離可能に係合装着する。アース片４５と装飾カバー５１とは、装飾カバー５１の内面側からアース片４５にねじ込んだビス６９を介して分離不能に締結する（請求項５）。
【００１１】
グリップ３は、蓋合わせ状に接合される左右のグリップケース３ａ・３ｂをビス４９で締結固定して構成する。装飾カバー５１は、左右のグリップケース３ａ・３ｂの接合面を跨ぐ状態でグリップ３に係合装着し、以て装飾カバー５１が左右のグリップケース３ａ・３ｂの開き規制体を兼ねるようにする（請求項６）。
【００１２】
装飾カバー５１は、グリップ３の左右側面を覆う一対の側壁５２と、両側壁５２どうしを繋ぐ後壁５３とを含んで立体状に構成されており、装飾カバー５１の両側壁５２と後壁５３とに、それぞれ左右のグリップケース３ａ・３ｂと係合する係合爪５５が設けられている。装飾カバー５１が、両グリップケース３ａ・３ｂを左右両側と後ろ側の三方向から抱持して、開き規制している（請求項７）。
【００１３】
【発明の作用効果】
本発明に係るヘアードライヤーでは、図１に示すごとくグリップ３にアース片４５を配置し、吹出グリル６とアース片４５とを導電路４６を介して導通することにより、吹出グリル６に帯電するマイナス電荷をアース片４５へと導き、アース片４５を握り締める使用者を介してグランドアースできるようにした。従って、吹出口グリル６や、その周辺部へのマイナスイオンの帯電を確実に防止できるので、吹出口グリル６を通過するマイナスイオンと、吹出口グリル６に帯電するマイナス電荷とが反発しあうのを解消でき、従来のこの種ヘアードライヤーに比べて、効果的にマイナスイオンを放出供給できる。
【００１４】
周囲電極とケース体とを抵抗体を介して接続する従来のアース構造に比べて、抵抗体がない分だけ、吹出口グリル６に帯電しようとするマイナス電荷を速やかにアース除去できるうえ、吹出口グリル６の電位とアース片４５を握り締めた使用者の電位とが同電位になるため、マイナス電荷の除去作用を安定した状態で持続させることができ、常に一定量のマイナスイオンをばらつきなく供給できる。さらに、使用者が握り締めたヘアードライヤーで第三者の頭髪や、ペット動物の体毛を乾燥する場合に、使用者側もマイナスに帯電することになるので、使用者へのリラクゼーション効果が期待できる（請求項１）。
【００１５】
本体ケース１の内部に設けたヒーターカバー１６と、ヒーターカバー１６とアース片４５を接続する導電リード６５とで導電路４６を構成したヘアードライヤーによれば、ヒーターカバー１６を利用して導電路４６を構成する分だけ配線構造が簡素化してヘアードライヤーの組立の手間を軽減できる。導電路４６の全体を本体ケース１とグリップ３の内部に配置できるので、導電路４６の断線の可能性が低下して導電路４６の信頼性が向上する（請求項２）。
【００１６】
ヒーターカバー１６の前端に突設した導通端子６６は、電極ホルダー３４に設けた係合部７１と係合させることにより、本体ケース１に対して相対回転不能に組み付けた電極ホルダー３４を利用して、ヒーターカバー１６を回り止め固定するようにしたヘアードライヤーによれば、ヒーターカバー１６を経由してグリップ３側へ導出される、モーター用、あるいはヒーター用の電気配線が、ヒーターカバー１６とともに動くのを阻止できる。従って、使用期間が長期にわたる場合にも、先の電気配線が傷んだり、断線したりするのを確実に防止できる（請求項３）。
【００１７】
グリップ３の内面側からアース片４５にねじ込んだビス６９で、アース片４５をグリップ３に締結固定し、導電リード６５の一端を前記ビス６９を利用してアース片４５と導通したアース構造によれば、導電リード６５をアース片４５に対して別途接続する必要がないので、その分だけアース構造が簡素化し、組立の手間を省くことができる点で有利である（請求項４）。
【００１８】
グリップ３に対して装飾カバー５１を分離可能に係合装着したうえで、装飾カバー５１の外面に配置したアース片４５を、装飾カバー５１の内面側からアース片４５にねじ込んだビス６９で締結固定すると、グリップ３を組み立てた状態において、その外面においてアース片４５を装飾カバー５１に組み、さらに導電リード６５をアース片４５に接続できるので、アース片４５、装飾カバー５１、導電リード６５の組立が簡単に行え、装飾カバー５１を必要に応じてグリップ３から分離操作するだけで、導電リード６５の接続状態を容易に確認できる（請求項５）。
【００１９】
蓋合わせ状に接合される左右のグリップケース３ａ・３ｂでグリップ３が構成されている場合に、左右のグリップケース３ａ・３ｂの接合面を跨ぐ状態で、装飾カバー５１をグリップ３に係合装着するようにしたグリップ構造によれば、左右のグリップケース３ａ・３ｂが分離し開こうとするのを装飾カバー５１で規制して、両グリップケース３ａ・３ｂを適正な接合状態に維持できる。従って、装飾カバー５１を含むグリップ３の構造強度を向上でき、その分だけ落下衝撃や他物との衝突衝撃に強いグリップ構造とすることができる（請求項６）。
【００２０】
グリップ３の左右側面を覆う一対の側壁５２と、両側壁５２どうしを繋ぐ後壁５３とを含んで装飾カバー５１を立体状に構成すると、装飾カバー５１をグリップ３に装着した状態において、両グリップケース３ａ・３ｂを装飾カバー５１で、左右両側と後ろ側の三方向から抱持して開き規制できるので、装飾カバー５１を含むグリップ３の構造強度の更なる向上を図れ、落下衝撃や他物との衝突衝撃に対する強度がさらに向上したグリップ構造が得られる（請求項７）。
【００２１】
【発明の実施の形態】
図１ないし図９は本発明に係るヘアードライヤーの実施例を示す。図１および図２においてヘアードライヤーは、横長筒状の本体ケース１と、その前端に着脱可能に装着されるノズル２と、本体ケース１の下面後側に設けたグリップ３とを有する。グリップ３の前面には、上下スライド可能なスイッチノブ４を設けてある。スイッチノブ４を切り換え操作することにより、風量およびヒーター温度の制御と、イオン発生装置への通電状態をオン・オフできる。グリップ３の内部には、先のスイッチノブ４で切り換え操作されるスイッチ５などを収容してある。図１の想像線で示すように、グリップ３は軸１１を中心にして本体ケース１に対して折り畳み可能に連結されている。
【００２２】
本体ケース１は、その殆どを占める円筒状の導風ケース１Ａと、導風ケース１Ａの後端開口に圧嵌装着されるファンケース１Ｂとで構成されている。導風ケース１Ａの前面開口の吹出口には吹出グリル６を設けてあり、ファンケース１Ｂの後面の吸込口には吸込グリル７を設けてある。
【００２３】
本体ケース１の内部には、送風ユニットとヒーターユニットとイオン発生装置とを設ける。送風ユニットは、モーターケース８に組み付けられるモーター９と、モーター９の出力軸に固定されるファン１０とで構成してあり、モーターケース８を後面側から導風ケース１Ａの内部に嵌め込んだのち、ファンケース１Ｂを導風ケース１Ａに圧嵌装着することにより、本体ケース１と一体化される。
【００２４】
ヒーターユニットは、モーターケース７の前端に隣接してモーター８に外嵌装着される支持筒１２と、支持筒１２の周面に沿って放射状に装着される６個の絶縁板１３と、絶縁板１３の周囲に巻き付け装着されるヒーター１４などで１個のユニット部品として構成してある。支持筒１２は前後面が開口する円筒状のプラスチック成形品からなり、その周面に絶縁板１３を装着するための連結溝１５が一体に形成されている（図６参照）。ヒーターユニットの外面は、前後面が開口する筒状のヒーターカバー１６と、その内面に配置されて、ヒーター１４とヒーターカバー１６の接触を防止する絶縁筒体１７で覆われている（図３、図５、図６参照）。ヒーターカバー１６は、導電性を有する金属板を素材とするプレス成形品からなる。
【００２５】
ファン１０で生起した空気流と共に、マイナスイオンを毛髪に吹き付けるために、本体ケース１の内部にイオン発生装置を備えている。図９においてイオン発生装置は、商用電源（１００Ｖ）から供給される電流を半波整流する整流回路１８と、整流された電流をパルス電流に変換するパルス発生回路１９と、パルス電流を例えば４ｋＶの高電圧に昇圧するトランス２０と、電極ユニット２１と、トランス２０と電極ユニット２１との間に設けられるダイオード２２とを含む。
【００２６】
上記の電気部品のうち、整流回路１８、パルス発生回路１９、トランス２０およびダイオード２２の四者は、円柱状の樹脂モールド２３の内部に封入されて１個のユニット部品としてあり、図３に示すように支持筒１２の前側の内部空間を利用して、筒内に嵌め込み装着されている。
【００２７】
図３および図９において電極ユニット２１は、プラスチック製のホルダー２５と、ホルダー２５に固定される中央電極２６と、中央電極２６まわりを囲むリング状の周囲電極（グランド電極）２７と、両電極２６・２７間の空間を絶縁遮断する誘電筒２８などで構成する。ホルダー２５は、中央のボス２９と、ボス２９の外周に設けた保持リング３０とを一体に備えており、ボス２９の外面に周囲電極２７が外嵌固定され、ボス２９の前部内面に誘電筒２８が内嵌固定されている。このように、ボス２９の前部中央に固定した中央電極２６と、誘電筒２８と、周囲電極２７とは同心円状に配置する。保持リング２９には扇形の通風穴３１がいくつも形成されている。
【００２８】
電極ユニット２１をファン６で生起した空気流の中央に位置させるために、電極ユニット２１を電極ホルダー３４に装着したうえで、電極ホルダー３４は、吹出グリル６とともに導風ケース１Ａに組み込んである。図４および図５において吹出グリル６は、同心円状のリング枠６ａと、放射枠６ｂとを一体に打ち抜き形成した鋼板製のプレス金具からなり、全体にクロムメッキを施してある。最外周のリング枠６ａの左右には位置決め部３５を凹み形成してある。
【００２９】
電極ホルダー３４は、中央のガード枠３７と、外周のリング枠３８とを６個の区分壁３９で接続したプラスチック成形品からなり、区分壁３９の内端に電極ユニット２１を装着するための段部４０が形成されている。段部４０に保持リング３０を嵌め込んで両者を接着することにより、電極ユニット２１が電極ホルダー３４と一体化される。この組み付け状態において、電極ユニット２１の誘電筒２８の前端は、電極ホルダー３４のガード枠３７の内面と小さな隙間を介して対向している。リング枠３８の左右には、吹出グリル６と同様の位置決め部４１を凹み形成してあり、さらにリング枠３８の内面側に先の絶縁板１３を挟み保持する爪４２が、各絶縁板１３に対応して突設されている。
【００３０】
上記構成の吹出グリル６と電極ホルダー３４とを導風ケース１Ａに装填し、吹出グリル６および電極ホルダー３４に設けた位置決め部３５・４１を、導風ケース１Ａの内面前部に設けた位置決め突起４３（図４参照）と係合させることにより、吹出グリル６および電極ホルダー３４をそれぞれ導風ケース１Ａに対して相対回転不能に固定できる。この固定状態において、吹出グリル６の中央のリング枠６ａは、電極ホルダー３４のガード枠３７の周面に外嵌している（図３参照）。
【００３１】
上記のように構成したイオン発生装置によれば、トランス２０で昇圧した高電圧のうち、ダイオード２２を通過したマイナス電圧のみを中央電極２６に印加することにより、中央電極２６から周囲電極２７に向けて電子を放出してイオン風を発生させ、空気中の酸素をマイナスに帯電させてマイナスイオン化できる。マイナスに帯電した酸素に微小な水分が結合して成るマイナスイオンは、毛髪の内部深くまで水分を浸透でき、その水分率を高めて乾燥しながらでも毛髪の状態を好適化できる。生成されたマイナスイオンは、導風ケース１Ａを通過する空気とともに吹出グリル６から前方へ吹き出る。空気流の一部は通風穴３１を通り抜けるので、電極ユニット２１の周辺に浮遊するマイナスイオンを強制的に送給できる。
【００３２】
吹出グリル６や電極ホルダー３４の表面にマイナスイオンが接触してマイナスに帯電すると、帯電したマイナス電荷とマイナスイオンとが反発しあうため、ヘアードライヤーのマイナスイオンの放出量が減少する。こうしたマイナス電荷の帯電を解消するために、本発明では図１に示すように、グリップ３の外面に導電性を有するアース片４５を設け、吹出グリル６とアース片４５とを導電路４６を介して導通することにより、吹出グリル６や電極ホルダー３４に帯電したマイナス電荷をアース片４５と人体を介してグランドアースできるようにしている。なお、人体に帯電したマイナス電荷は、床や壁などを介して逃がすことができる。
【００３３】
図７においてグリップ３は、左右に分割された一対のグリップケース３ａ・３ｂを蓋合わせ状に接合したうえで、上下２箇所をビス４９（図１参照）で締結固定して構成されている。グリップケース３ａ・３ｂの後ろ側の上下中途部には、アース片４５用の組付開口を設けてある。グリップ３に対して分離可能に係合装着される装飾カバー５１を設け、その後面にアース片４５を固定している。
【００３４】
図２において装飾カバー５１は、グリップ３の左右側面を覆う花弁状の一対の側壁５２と、両側壁５２どうしを繋ぐ後壁５３とを含む立体状に構成されており、両側壁５２の上下２箇所と後壁５３の下部とにそれぞれ左右のグリップケース３ａ・３ｂに設けた係合穴５４と係合する係合爪５５を設けてある。後壁５３には、アース片４５を組み付けるための装着凹部５６を凹み形成してあり、その内面中央に、アース片４５のボス６０を受け入れるボス座５７が突設されている。装飾カバー５１をグリップ３に係合装着することにより、両グリップケース３ａ・３ｂを装飾カバー５１で左右両側と後ろ側の三方向から抱持して、両ケース３ａ・３ｂを開き規制できる。
【００３５】
アース片４５は、上下に長い木の葉形のプラスチック成形品からなり、導電性を付与するためにその表面全体にメッキ層を被覆してある。アース片４５の内面側には、ねじ締結用のボス６０と、４個の係合爪６１とを形成してある。係合爪６１は、装飾カバー５１に設けた係合穴６２と係合してアース片４５を位置決めする。
【００３６】
吹出グリル６とアース片４５を導通する導電路４６とは、ヒーターカバー１６とリード線（導電リード）６５とで構成する。詳しくは、図３に示すように、ヒーターカバー１６の前端下縁にＬ字状の導通端子６６を突設して、導通端子６６を吹出グリル６の内面下部に密着させて電気的に接続し、さらにヒーターカバー１６の後部下面壁を下向きに折り起こして接続片６７とし、この接続片６７とアース片４５とをリード線６５を介して接続した。
【００３７】
さらに詳しくは、図７に示すようにボス６０がボス座５７に内嵌する状態でアース片４５を装飾カバー５１の装着凹部５６に嵌め込み、係合爪６１を係合穴６２に係合してアース片４５を仮止めする。この状態で、リード線６５の接続端子６８をボス座５７にあてがい、接続端子６８およびボス座５７に挿通したビス６９をボス６０にねじ込むことにより、アース片４５を装飾カバー５１に固定し、同時にアース片４５とリード線６５を電気的に接続した。
【００３８】
こののち、装飾カバー５１をグリップ３に圧嵌係合するが、装飾カバー５１は、その下端部分をドライバーなどの工具でこじることにより、必要に応じてグリップ３から分離できる。このように、分離可能に装着される装飾カバー５１に対してアース片４５を取り付けると、装飾カバー５１をグリップ３から外すだけの簡単な操作で、リード線６５の接続状態を容易に確認できる。つまり、リード線６５の接続状態を確認する際に、グリップケース３ａ・３ｂを分解する必要がないうえ、リード線６５とアース片４５の接続作業を簡便に行える。
【００３９】
上記のようにヒーターカバー１６を利用して導電路４６を構成されていると、導風ケース１ａ内でリード線６５を配線する必要がない分だけ、リード線６５のひき回し長さが短くなり、ヘアードライヤーの組立の手間を省くことができる。ひき回し長さが短い分だけ断線の可能性が低くなり導電路４６の信頼性が向上する。
【００４０】
先に説明したように、ヒーターカバー１６と隣接する電極ホルダー３４は、導風ケース１Ａに対して回転不能に取り付けてある。そこで、ヒーターカバー１６に設けた導通端子６６を電極ホルダー３４に係合してヒーターカバー１６を回り止め固定している。詳しくは、図３および図８に示すように、電極ホルダー３４の下面中央に断面Ｌ字状の係合凹部（係合部）７１を形成し、導通端子６６が係合凹部７１と係合する状態で吹出グリル６に密着させる構造とした。
【００４１】
上記構成のヘアードライヤーの、吹出口付近におけるマイナス電荷の帯電防止効果を確かめるために、稼動時におけるヘアードライヤーのマイナスイオン吹出量をヘアードライヤーの吹出口から４０ｃｍ離れた計測器で一定間隔置きに計測してその平均値を求めた。また、稼動途中にアース片４５を手で握り締め、手がアース片４５に接触しているときのマイナスイオン吹出量を、一定間隔置きに計測してその平均値を求めた。ヘアードライヤーを単に稼動しているときのマイナスイオン吹出量は、４５２５５９個／ｃｃであった。これに対し、アース片４５を手で握り締めているときのマイナスイオン吹出量は、５５７１９５個／ｃｃと増加し、マイナス電荷の帯電を効果的に防止できることが確認された。
【００４２】
図１０にアース構造の別実施例を示す。そこでは、導電路４６とは別に、周囲電極２７からアースリード７３を導出し、その途中に人体の抵抗値よりも大きい抵抗値の抵抗７４を介装したうえで、アースリード７３の導出端を導電路４６に接続した。このように、周囲電極２７がアースリード７３と抵抗７４とを介して導電路４６に接続されていると、先の実施例と同様に、吹出グリル６に帯電しようとするマイナス電荷を、アース片４５に接触する人体を介してグランドアースできるのはもちろんのこと、ヘアードライヤーを壁に掛け止めたり、あるいはスタンドに装着した状態で使用する場合、つまり手で持たずに使用する場合であっても、吹出グリル６に帯電しようとするマイナス電荷を、イオン発生装置の電気回路の側へ逃がして、充分な量のマイナスイオンを確実に供給できる。なお、抵抗７４の抵抗値を人体よりも大きい抵抗値にするのは、手に持って使用するとき、抵抗値の低い人体側へ速やかに電子を移動させ吹出グリル６の帯電を確実に防止するためである。
【００４３】
図１１はアース構造の別実施例を示す。そこでは、導電路４６に連続してアースリード７５を導出して、スイッチ５の入力側給電線に接続し、吹出グリル６に帯電しようとするマイナス電荷を、商用電源回路の側へ逃がすようにした。この場合にも、アースリード７５の中途部に１０ＭΩ以上の抵抗７６を介装している。抵抗７６の抵抗値を１０ＭΩ以上とするのは、ＡＣ電源と絶縁する目的であり、これにより人体が微弱電流で感電するのを防止できる。
【００４４】
図１２は本発明をヘアーブロー用のヘアードライヤーに適用した実施例を示す。そこでは、本体ケース１の下半分側にグリップ３を設けてあり、グリップ３と本体ケース１とが一体化されて中空棒状に構成されている。本体ケース１の上半部の前面には、一群のブリッスル８０を備えたブラシユニット８１が着脱自在に装着されており、ブラシユニット８１の中央部分に吹出グリル６を設けてある。この吹出グリル６とグリップ３に設けたアース片４５とは、導電路４６で接続することにより、吹出グリル６にマイナス電荷が帯電するのを解消できるようにした。他は先の実施例で説明したヘアードライヤーと実質的に同じであるので、同じ部材には同じ符号を付して、その説明を省略する。
【００４５】
上記の実施例以外に、アース片４５は金属製のプレス成形品や、ダイキャスト成形品等で形成することができる。必要があれば、金属片をインサート固定したプラスチック成形品で形成してもよい。アース片４５はグリップ３の側面や前面に配置することができる。グリップ３の周囲を周回する状態で、アース片４５をリング状に形成することができる。
【００４６】
導電路４６は、その一部が本体ケース１やグリップ３の外面に露出していてもよい。導電リード６５はリード線である必要はなく、帯状の金属薄板や、フレキシブルプリント基板などで形成することができる。係合部７１は本体ケース１の内面に設けてもよい。電極ユニット２１のホルダー２５と、電極ホルダー３４とは一体に形成してあってもよい。
【図面の簡単な説明】
【図１】ヘアードライヤーの縦断側面図である。
【図２】アース片および装飾カバーを分離した状態での側面図である。
【図３】本体ケースの縦断側面図である。
【図４】本体ケースの吹出部構造を示す分解斜視図である。
【図５】イオン発生装置と導風ケースとの関係構造を示す縦断側面図である。
【図６】図３におけるＡ−Ａ線断面図である。
【図７】図１におけるＢ−Ｂ線断面図である。
【図８】図３におけるＣ−Ｃ線断面図である。
【図９】アース構造の概略を示す説明図である。
【図１０】アース構造の別実施例を示す説明図である。
【図１１】アース構造の更に異なる別実施例を示す説明図である。
【図１２】本発明の別適用例を示す概略側面図である。
【符号の説明】
１  本体ケース
３  グリップ
３ａ・３ｂ  グリップケース
６  吹出グリル
９  モーター
１０  ファン
１６  ヒーターカバー
２１  電極ユニット
３４  電極ホルダー
４５  アース片
４６  導電路
４９  ビス
５１  装飾カバー
５２  装飾カバーの側壁
５３  装飾カバーの後壁
５５  係合爪
６５  導電リード
６６  導通端子
６９  ビス
７１  係合部
【図１】
2004344354.tif 000003
【図２】
2004344354.tif 000004
【図３】
2004344354.tif 000005
【図４】
2004344354.tif 000006
【図５】
2004344354.tif 000007
【図６】
2004344354.tif 000008
【図７】
2004344354.tif 000009
【図８】
2004344354.tif 000010
【図９】
2004344354.tif 000011
【図１０】
2004344354.tif 000012
【図１１】
2004344354.tif 000013
【図１２】
2004344354.tif 000014